(57)【要約】【課題】睡眠中の生体データに基づいて被検者の運転の資質を判定する。【解決手段】判定サーバ２００は、被検者の睡眠中の生体データを取得し、被検者の属性情報を取得し、運転の資質がない運転不適合者の睡眠中の生体データである不適合者生体データを記憶手段から取得する。判定サーバ２００の処理装置２２０は、被検者の睡眠中の生体データ、この被検者の属性情報、および、不適合者生体データから、この被検者の運転の資質を判定する。【選択図】図２
2020201843.tif 000002
【特許請求の範囲】
【請求項１】
被検者の睡眠中の生体データを取得する生体データ取得手段と、
前記被検者の属性情報を取得する属性情報取得手段と、
運転の資質がない運転不適合者の睡眠中の生体データである不適合者生体データを記憶手段から取得する不適合者生体データ取得手段と、
前記被検者の睡眠中の生体データ、当該被検者の属性情報、および、前記不適合者生体データから、当該被検者の運転の資質を判定する判定手段と、
を有することを特徴とする、運転資質判定システム。
【請求項２】
前記判定手段は、前記被検者の睡眠中の生体データと前記不適合者生体データとの差異が予め定められた第１閾値よりも小さい場合、当該被検者の運転の資質を不適合と判定することを特徴とする、請求項１に記載の運転資質判定システム。
【請求項３】
前記判定手段は、前記被検者の睡眠中の生体データと前記不適合者生体データとの差異が前記第１閾値よりも大きい場合であっても、当該第１閾値とは異なる予め定められた第２閾値よりも小さく、かつ、当該被検者の属性情報が予め定められた不適合条件を満足する場合、当該被検者の運転の資質を不適合と判定することを特徴とする、請求項２に記載の運転資質判定システム。
【請求項４】
前記判定手段は、前記被検者の睡眠中の生体データと前記不適合者生体データとの差異が予め定められた特定の閾値よりも小さく、かつ、当該被検者の属性情報が予め定められた不適合条件を満足する場合、当該被検者の運転の資質を不適合と判定することを特徴とする、請求項１に記載の運転資質判定システム。
【請求項５】
前記判定手段は、前記被検者の睡眠中の生体データと前記不適合者生体データとの差異が前記特定の閾値よりも小さく設定された閾値に対してさらに小さい場合、当該被検者の属性情報が前記不適合条件を満足するか否かに関わらず、当該被検者の運転の資質を不適合と判定することを特徴とする、請求項４に記載の運転資質判定システム。
【請求項６】
前記被検者の認知機能に異常が生じているか否かを判定する予備判定手段をさらに備え、
前記判定手段は、前記予備判定手段により前記被検者の認知機能に異常が生じていると判定された場合に、当該被検者の運転の資質を判定することを特徴とする、請求項１乃至請求項５の何れかに記載の運転資質判定システム。
【請求項７】
コンピュータに、
被検者の睡眠中の生体データを取得する機能と、
前記被検者の属性情報を取得する機能と、
運転の資質がない運転不適合者の睡眠中の生体データである不適合者生体データを記憶手段から取得する機能と、
前記被検者の睡眠中の生体データ、当該被検者の属性情報、および、前記不適合者生体データから、当該被検者の運転の資質を判定する機能と、
を実現させることを特徴とする、プログラム。
【発明の詳細な説明】
【技術分野】
【０００１】
本発明は、運転資質判定システムおよびプログラムに関する。
【背景技術】
【０００２】
特許文献１には、サーバが、睡眠データ（睡眠時の脈拍、呼吸、体動等）に基づいて、ユーザの睡眠が充分か否かを解析し、解析結果を車両に出力する安全運転管理システムが開示されている。このシステムでは、ユーザが睡眠不足である場合には、ユーザが運転できないよう車両を制御する。また、このシステムでは、睡眠データを取得する際に取得した睡眠時ユーザ識別情報（血圧、体重等）と、ユーザが車両に搭乗したときに取得した運転時ユーザ識別情報とに基づき、ユーザを識別する。
【０００３】
特許文献２には、睡眠状態情報（利用者の脈拍、呼吸、体動等に基づいて演算された睡眠の質等に関する情報）と、運転状態情報とに基づいて、睡眠状態のレベルと運転状態のレベルとの相関を示す運転レベルマップを設定し、運転レベルマップに基づき、車両運転時に利用者に警告、アドバイスを行う安全運転支援システムが開示されている。
【先行技術文献】
【特許文献】
【０００４】
【特許文献１】特開２０１６−１２６３７６号公報
【特許文献２】特開２０１０−１２２７３２号公報
【発明の概要】
【発明が解決しようとする課題】
【０００５】
特許文献１や特許文献２の技術では、被検者の睡眠中の生体データに基づいて運転の可否を制御したり、運転時の警告やアドバイスを行ったりしている。これらの技術は、被検者に運転の資質があることを前提としており、そもそも被検者における運転の資質に関する判断は行われていない。
【０００６】
本発明は、睡眠中の生体データに基づいて被検者の運転の資質を判定することを目的とする。
【課題を解決するための手段】
【０００７】
請求項１に記載の発明は、被検者の睡眠中の生体データを取得する生体データ取得手段と、前記被検者の属性情報を取得する属性情報取得手段と、運転の資質がない運転不適合者の睡眠中の生体データである不適合者生体データを記憶手段から取得する不適合者生体データ取得手段と、前記被検者の睡眠中の生体データ、当該被検者の属性情報、および、前記不適合者生体データから、当該被検者の運転の資質を判定する判定手段と、を有することを特徴とする、運転資質判定システムである。
請求項２に記載の発明は、前記判定手段は、前記被検者の睡眠中の生体データと前記不適合者生体データとの差異が予め定められた第１閾値よりも小さい場合、当該被検者の運転の資質を不適合と判定することを特徴とする、請求項１に記載の運転資質判定システムである。
請求項３に記載の発明は、前記判定手段は、前記被検者の睡眠中の生体データと前記不適合者生体データとの差異が前記第１閾値よりも大きい場合であっても、当該第１閾値とは異なる予め定められた第２閾値よりも小さく、かつ、当該被検者の属性情報が予め定められた不適合条件を満足する場合、当該被検者の運転の資質を不適合と判定することを特徴とする、請求項２に記載の運転資質判定システムである。
請求項４に記載の発明は、前記判定手段は、前記被検者の睡眠中の生体データと前記不適合者生体データとの差異が予め定められた特定の閾値よりも小さく、かつ、当該被検者の属性情報が予め定められた不適合条件を満足する場合、当該被検者の運転の資質を不適合と判定することを特徴とする、請求項１に記載の運転資質判定システムである。
請求項５に記載の発明は、前記判定手段は、前記被検者の睡眠中の生体データと前記不適合者生体データとの差異が前記特定の閾値よりも小さく設定された閾値に対してさらに小さい場合、当該被検者の属性情報が前記不適合条件を満足するか否かに関わらず、当該被検者の運転の資質を不適合と判定することを特徴とする、請求項４に記載の運転資質判定システムである。
請求項６に記載の発明は、前記被検者の認知機能に異常が生じているか否かを判定する予備判定手段をさらに備え、前記判定手段は、前記予備判定手段により前記被検者の認知機能に異常が生じていると判定された場合に、当該被検者の運転の資質を判定することを特徴とする、請求項１乃至請求項５の何れかに記載の運転資質判定システムである。
請求項７に記載の発明は、コンピュータに、被検者の睡眠中の生体データを取得する機能と、前記被検者の属性情報を取得する機能と、運転の資質がない運転不適合者の睡眠中の生体データである不適合者生体データを記憶手段から取得する機能と、前記被検者の睡眠中の生体データ、当該被検者の属性情報、および、前記不適合者生体データから、当該被検者の運転の資質を判定する機能と、を実現させることを特徴とする、プログラムである。
【発明の効果】
【０００８】
本発明によれば、睡眠中の生体データに基づいて被検者の運転の資質を判定することができる。
【図面の簡単な説明】
【０００９】
【図１】本実施形態による運転資質判定システムの全体構成を示す図である。
【図２】判定サーバの構成を示す図である。
【図３】判定サーバの処理装置による判定処理の動作を示すフローチャートである。
【図４】判定サーバの認知機能判定部による判定結果の出力例を示す図であり、図４（Ａ）は、被検者の認知機能に異常が検知された場合の出力例を示す図、図４（Ｂ）は、被検者の認知機能に異常が検知されなかった場合の出力例を示す図である。
【図５】判定サーバの運転資質判定部による判定結果の出力例を示す図であり、図５（Ａ）は、被検者の運転資質が不適合と判定された場合の出力例を示す図、図５（Ｂ）は、被検者の運転資質が適合と判定された場合の出力例を示す図である。
【発明を実施するための形態】
【００１０】
以下、添付図面を参照して、本発明の実施の形態について詳細に説明する。
＜システム構成＞
図１は、本実施形態による運転資質判定システムの全体構成を示す図である。本実施形態の運転資質判定システムは、生体データ取得装置１００と、判定サーバ２００と、端末装置３００とを備える。各装置は、ネットワーク４００を介して接続されている。なお、図１には、一つの生体データ取得装置１００が記載されているが、生体データ取得装置１００は、通常、被検者ごとに設けられるため複数となる。また、図１には、一つの端末装置３００が記載されているが、複数の端末装置３００がシステムに存在しても良い。
【００１１】
端末装置３００は、判定サーバ２００に対して判定処理の実行を指示したり、判定サーバ２００による判定結果を受信して表示したりする装置である。端末装置３００としては、例えば、スマートフォン等の携帯型情報端末や、パーソナルコンピュータ（ＰＣ）等が用いられる。
【００１２】
ネットワーク４００は、各システム間のデータ通信に用いられる通信ネットワークであれば良く、例えばＬＡＮ（Local Area Network）、ＷＡＮ（Wide Area Network）、インターネット等が用いられる。ネットワーク４００の通信方式、通信基盤等の種類や構成は特に限定されない。ネットワーク４００においてデータ通信に用いられる通信回線は、有線か無線かを問わず、これらを併用しても良い。
【００１３】
＜生体データ取得装置の構成＞
生体データ取得装置１００は、被検者の睡眠中の生体データを取得する装置である。ここで、被検者とは、運転資質判定システムの利用者であり、運転資質の判定対象の人物である。図１に示すように、生体データ取得装置１００は、生体データを取得するセンサであるベッドセンサ１１０と、ベッドセンサ１１０により取得された生体データを判定サーバ２００へ送信するための通信装置１２０とを備える。
【００１４】
ベッドセンサ１１０は、被検者の体動に関するデータを非接触で測定可能なセンサを用いて構成される。一例として、ベッドセンサ１１０として、寝具の下に敷いて使用するマット型のセンサを用いても良い。具体的には、ベッドセンサ１１０は、導電性の生地と複数個の圧電素子によって構成され、周期的な微振動を検知するようにしても良い。また、ベッドセンサ１１０には、マイクロ波ドップラーレーダー等を使用しても良い。ベッドセンサ１１０は、生体データとして、例えば脈拍、呼吸数、寝返り等の体動を検知する。もっとも、体動を検知できれば、ベッドセンサ１１０は、マット型のセンサやマイクロ波ドップラーレーダーを用いた構成に限らない。例えば、ベッドセンサ１１０として、スマートフォンを代用してもよい。例えば、スマートフォン用のアプリケーション・プログラムとして、スマートフォンに内蔵された加速度センサの出力を用いて、被検者の睡眠時間や睡眠サイクル等を計測できるものが存在しており、これを用いて生体データを取得することも考えられる。なお、ベッドセンサ１１０は、被検者の睡眠中の生体データの他、被検者がベッドに入ったか否か、ベッドから出たか否か等の被検者の動作を検知するようにしても良い。
【００１５】
通信装置１２０は、ネットワーク４００に接続して判定サーバ２００との間で通信を行う装置である。通信装置１２０は、ネットワーク４００に接続するためのネットワーク・インターフェイスを備える。通信装置１２０は、ベッドセンサ１１０により取得されたデータを収集し、予め定められた通信プロトコルにしたがって、例えば定期的に判定サーバ２００へ送信する。なお、生体データ取得装置１００は、生体データを、通信装置１２０により直接、判定サーバ２００へ送信しても良いし、エッジサーバのような外部装置による中継を経て判定サーバ２００へ送信するようにしても良い。後者の場合、通信装置１２０は、単にベッドセンサ１１０が取得した生体データを外部装置へ出力する機能のみを有し、通信プロトコルにしたがった通信制御や生体データの送信タイミングの制御等は外部装置が行うようにしても良い。
【００１６】
＜判定サーバの構成＞
図２は、判定サーバ２００の構成を示す図である。判定サーバ２００は、生体データ取得装置１００から被検者の睡眠中の生体データを取得し、被検者の運転資質を判定するサーバである。図２に示すように、判定サーバ２００は、記憶装置２１０と、処理装置２２０と、通信装置２３０とを備える。
【００１７】
記憶装置２１０は、判定処理に用いられるデータやプログラムを記憶する装置であり、例えば磁気ディスク装置や不揮発性半導体メモリ等で実現される。図２に示すように、記憶装置２１０には、生体データ・データベース（ＤＢ）２１１と、属性情報データベース（ＤＢ）２１２と、不適合者生体データ・データベース（ＤＢ）２１３とが構築されている。
【００１８】
生体データＤＢ２１１には、生体データ取得装置１００により取得された被検者の睡眠中の生体データが登録される。生体データは、生体データ取得装置１００から受信するたびに追加され蓄積される。
【００１９】
属性情報ＤＢ２１２には、被検者の属性情報が予め登録されている。属性情報には、主として被検者の運転資質に関連する情報が含まれるが、必ずしも運転資質に関連する情報のみに限定しない。例えば、年齢、性別、身長、体重、持病、服薬状況、過去の運転歴、事故歴等の情報が属性情報として登録される。属性情報は、例えば、被検者の自己申告により得られた情報であっても良いし、アクセス権限が与えられていれば、持病や服薬状況については医療機関のデータベースから、運転歴や事故歴については警察署のデータベースから読み出して登録しても良い。
【００２０】
不適合者生体データＤＢ２１３には、不適合者生体データが予め登録されている。不適合者生体データとは、予め運転不適合者と認定された対象者の睡眠中の生体データに関する情報である。不適合者生体データとしては、例えば、医療機関等において患者の睡眠中の生体データを検出することで得られたデータが用いられる。運転不適合者としては、例えば、軽度認知障害者、認知症患者、注意欠陥多動性障害者等と診断された対象者等が該当する。生体データは、上述した被検者の生体データと同様である。なお、不適合者生体データＤＢ２１３は、クラウドサーバやネットワーク上に設けられた外部のデータベースサーバ等として実現しても良い。
【００２１】
処理装置２２０は、判定処理を実行する装置であり、演算手段としてのＣＰＵ（Central Processing Unit）、作業用メモリとして用いられるＲＡＭ（Random Access Memory）、ＢＩＯＳ（Basic Input/Output System）等のプログラムが記憶されたＲＯＭ（Read Only Memory）を備える。図２に示すように、処理装置２２０は、認知機能判定部２２１と、運転資質判定部２２２とを備える。処理装置２２０において、ＣＰＵが記憶装置２１０に格納されたプログラムを読み込んで実行することにより、認知機能判定部２２１および運転資質判定部２２２の機能が実現される。処理装置２２０は、判定処理として、被検者の認知機能に対する予備的な判定と、被検者の運転資質に関する判定の２段階の処理を行う。処理装置２２０は、生体データ取得手段、属性情報取得手段および不適合者生体データ取得手段の一例である。
【００２２】
認知機能判定部２２１は、被検者の認知機能に異常が生じている可能性があるか否かを判定する。すなわち、認知機能判定部２２１は、被検者の認知機能に対する予備的な判定を行う。認知機能判定部２２１による判定は、後述する運転資質判定部２２２による判定とは異なり、不適合者との比較ではなく、被検者のデータや情報自体の特徴に基づいて行われる。例えば、生体データＤＢ２１１に保持されている被検者の睡眠中の生体データが認知機能の変調を招く可能性のあるものである場合、認知機能判定部２２１は、被検者の認知機能に異常が生じている可能性があると判定する。認知機能の変調を招く可能性のある生体データとしては、例えば、就寝時間と起床時間、睡眠時間の長さ、睡眠深度、中途覚醒の回数等のパターンが平常時の平均的なパターンとは異なる場合等が挙げられる。また、属性情報ＤＢ２１２に保持されている被検者の属性情報に認知機能の変調が疑われる情報が含まれている場合、認知機能判定部２２１は、被検者の認知機能に異常が生じている可能性があると判定する。認知機能の変調に関わる属性情報としては、例えば、持病や服薬状況の変化、事故の傾向等が挙げられる。また、上記のようなデータの他、被検者に簡易的な認知能力の判定テストを実施し、その結果に基づいて判定を行うようにしても良い。認知機能判定部２２１は、予備判定手段の一例である。
【００２３】
運転資質判定部２２２は、被検者の睡眠中の生体データ、属性情報および不適合者生体データに基づき、被検者の運転の資質の有無を判定する。すなわち、運転資質判定部２２２は、被検者の運転資質に関する判定を行う。運転資質判定部２２２は、判定手段の一例である。運転資質判定部２２２は、まず、被検者の睡眠中の生体データと運転不適合者の睡眠中の生体データとを比較し、両データの対応する項目間の差異が予め定められた第１閾値以下か否かを判定する。両データの差異は、例えば、対応する項目において予め定められた特徴量（の値）の差異により特定される。両データの差異が第１閾値以下である場合、運転資質判定部２２２は、被検者の運転資質を不適合と判定する。被検者の運転資質が不適合であるとは、判定サーバ２００の判定において、被検者が自動車の運転を避けた方が良いと判断されることを言う。
【００２４】
また、運転資質判定部２２２は、被検者の生体データと運転不適合者の生体データとの差異が第１閾値を超えている場合であっても、第１閾値よりも大きい値で予め定められた第２閾値以下である場合、属性情報を加味した判定を行う。すなわち、運転の資質に関連する属性情報において、運転の資質が低い傾向がある場合、運転資質判定部２２２は、被検者の運転資質を不適合と判定する。属性情報において運転の資質が低い傾向がある場合としては、例えば、持病において特定の症状がある場合や事故歴が多い場合等が挙げられる。属性情報に基づく判定は、例えば、属性情報の内容に関して予め運転資質を不適合と判定するための条件（以下、不適合条件と呼ぶ）を設定しておき、被検者の属性情報が不適合条件を満足するか否かを判定するようにしても良い。
【００２５】
被検者の生体データと運転不適合者の生体データとの差異が第２閾値を超えている場合、および、両データの差異が第２閾値以下であっても属性情報において運転の資質が低い傾向がない場合、運転資質判定部２２２は、被検者の運転資質を適合と判定する。被検者の運転資質が適合であるとは、判定サーバ２００の判定において、被検者が自動車を運転しても良いと判断されることを言う。
【００２６】
言い換えると、運転資質判定部２２２は、被検者の睡眠中の生体データと不適合者生体データとの差異が予め定められた特定の閾値よりも小さく、かつ、被検者の属性情報が不適合条件を満足する場合、被検者の運転の資質を不適合と判定する。ここで、特定の閾値とは、上述した第２閾値である。そして、運転資質判定部２２２は、被検者の睡眠中の生体データと不適合者生体データとの差異が、この特定の閾値よりも小さく設定された閾値に対してさらに小さい場合、被検者の属性情報が不適合条件を満足するか否かに関わらず、被検者の運転の資質を不適合と判定する。ここで、特定の閾値よりも小さく設定された閾値とは、上述した第１閾値である。
【００２７】
処理装置２２０は、以上のようにして得られた判定結果を判定サーバ２００の外部の出力対象装置へ出力する。出力対象装置としては、例えば、被検者が所持する端末装置３００や被検者の家族等が所持する端末装置３００が挙げられる。被検者本人以外の端末装置３００への出力は、運転の資質が不適合と判定された場合に限定しても良い。
【００２８】
通信装置２３０は、ネットワーク４００に接続して生体データ取得装置１００や端末装置３００との間で通信を行う装置である。通信装置２３０は、ネットワーク４００に接続するためのネットワーク・インターフェイスを備える。通信装置２３０は、生体データ取得装置１００から被検者の睡眠中の生体データを受信する。また、通信装置２３０は、被検者に対する運転資質の判定結果を端末装置３００へ送信する。なお、生体データ取得装置１００により取得された生体データがエッジサーバにより収集される場合、通信装置２３０は、このエッジサーバから生体データを受信する。また、不適合者生体データＤＢ２１３が判定サーバ２００の外部に設けられている場合、通信装置２３０は、この外部のデータベースから不適合者生体データを受信する。
【００２９】
＜判定サーバの処理装置の動作＞
図３は、判定サーバ２００の処理装置による判定処理の動作を示すフローチャートである。なお、運転資質の判定を行う対象である被検者に対しては、事前に、生体データ取得装置１００を使用して睡眠中の生体データが取得され、生体データＤＢ２１１に記録されているものとする。また、この動作例では、認知機能判定部２２１による認知機能の判定は、被検者の生体データおよび属性情報に基づいて行われるものとする。
【００３０】
まず、処理装置２２０が、生体データＤＢ２１１から被検者の生体データを読み出し、属性情報ＤＢ２１２から被検者の属性情報を読み出す（Ｓ３０１）。そして、認知機能判定部２２１が、読み出した生体データおよび属性情報に基づき、被検者の認知機能の判定を行う（Ｓ３０２）。認知機能判定部２２１により被検者の認知機能の異常が検知されなければ、被検者の運転資質に問題はないとして、処理装置２２０による判定処理が終了する（Ｓ３０３でＮＯ）。
【００３１】
一方、認知機能判定部２２１により被検者の認知機能の異常が検知された場合（Ｓ３０３でＹＥＳ）、次に、処理装置２２０は、不適合者生体データＤＢ２１３から不適合者生体データを読み出す（Ｓ３０４）。そして、運転資質判定部２２２が、被検者の生体データと運転不適合者の生体データとを比較する（Ｓ３０５）。被検者の生体データと運転不適合者の生体データとの差異が第１閾値以下である場合（Ｓ３０６でＹＥＳ）、運転資質判定部２２２は、被検者の運転資質が不適合と判定する（Ｓ３０７）。
【００３２】
これに対し、被検者の生体データと運転不適合者の生体データとの差異が第１閾値よりも大きく、第２閾値以下である場合（Ｓ３０６でＮＯ、Ｓ３０８でＹＥＳ）、次に運転資質判定部２２２は、被検者の属性情報を参酌する。被検者の属性情報が予め定められた不適合条件を満足する場合（Ｓ３０９でＹＥＳ）、運転資質判定部２２２は、被検者の運転資質が不適合と判定する（Ｓ３０７）。
【００３３】
被検者の生体データと運転不適合者の生体データとの差異が第２閾値よりも大きい場合（Ｓ３０８でＮＯ）、および、被検者の属性情報が不適合条件を満足しない場合（Ｓ３０９でＮＯ）、運転資質判定部２２２は、被検者の運転資質が適合と判定する（Ｓ３１０）。
【００３４】
＜判定結果の出力例＞
次に、判定サーバ２００による判定結果の出力例を示す。判定結果は、判定サーバ２００から端末装置３００へ送られる。そして、例えば、端末装置３００に設けられた表示手段（液晶ディスプレイ等）の画面に表示される。
【００３５】
図４は、判定サーバ２００の認知機能判定部２２１による判定結果の出力例を示す図である。図４（Ａ）は、被検者の認知機能に異常が検知された場合の出力例を示す図、図４（Ｂ）は、被検者の認知機能に異常が検知されなかった場合の出力例を示す図である。認知機能判定部２２１が被検者の認知機能に異常があると判定した場合、図４（Ａ）に示すように、端末装置３００の表示部３１０には、認知機能に異常が検知されたという判定結果を通知するメッセージが表示される。図示の例では、「認知機能に異常が検知されました。適合判定を行うことをお勧めします。」というメッセージが表示されている。また、この通知画面には、指示ボタン３１１と、終了ボタン３１２とが表示されている。
【００３６】
指示ボタン３１１は、運転資質判定部２２２による判定を行うことを判定サーバ２００に指示するためのボタンオブジェクトである。この指示ボタン３１１が選択されると、端末装置３００から判定サーバ２００へ、運転資質判定部２２２による判定の実行要求が送信される。判定サーバ２００は、この実行要求を受信すると、運転資質判定部２２２による判定処理を実行する。
【００３７】
終了ボタン３１２は、判定サーバ２００による判定処理を終了するためのボタンオブジェクトである。この終了ボタン３１２が選択されると、端末装置３００から判定サーバ２００へ、判定処理の終了要求が送信され、端末装置３００による判定サーバ２００へのアクセスが切断される。判定サーバ２００は、この終了要求を受信すると、被検者に対する判定処理を終了する。
【００３８】
また、認知機能判定部２２１が被検者の認知機能に異常がないと判定した場合、図４（Ｂ）に示すように、端末装置３００の表示部３１０には、認知機能の異常がないという判定結果を通知するメッセージが表示される。図示の例では、「認知機能に異常はありません。」というメッセージが表示されている。この通知画面には、終了ボタン３１２が表示されており、この終了ボタン３１２が選択されると、判定処理が終了し、端末装置３００による判定サーバ２００へのアクセスが切断される。
【００３９】
図５は、判定サーバ２００の運転資質判定部２２２による判定結果の出力例を示す図である。図５（Ａ）は、被検者の運転資質が不適合と判定された場合の出力例を示す図、図５（Ｂ）は、被検者の運転資質が適合と判定された場合の出力例を示す図である。運転資質判定部２２２が被検者の運転資質が不適合と判定した場合、図５（Ａ）に示すように、端末装置３００の表示部３１０には、不適合という判定結果を通知するメッセージが表示される。図示の例では、「運転資質が不適合と判定されました。自動車の運転を控えてください。」というメッセージが表示されている。この通知画面には、終了ボタン３１２が表示されており、この終了ボタン３１２が選択されると、判定処理が終了し、端末装置３００による判定サーバ２００へのアクセスが切断される。
【００４０】
また、運転資質判定部２２２が被検者の運転資質が適合と判定した場合、図５（Ｂ）に示すように、端末装置３００の表示部３１０には、適合という判定結果を通知するメッセージが表示される。図示の例では、「運転資質が適合と判定されました。」というメッセージが表示されている。この通知画面には、終了ボタン３１２が表示されており、この終了ボタン３１２が選択されると、判定処理が終了し、端末装置３００による判定サーバ２００へのアクセスが切断される。
【００４１】
なお、上記の出力例では、端末装置３００として被検者自身や被検者の家族等が所持する情報端末を想定したが、判定サーバ２００による判定結果を利用し得る様々な情報処理装置に対して判定結果を出力しても良い。例えば、運転免許の試験場や警察署に端末装置３００としての情報処理装置を設置しても良い。この場合、運転免許証の交付時や更新時に、交付や更新の対象者を被検者として判定サーバ２００による判定を実行し、判定結果を端末装置３００に出力しても良い。更新対象者に対して運転資質が不適合との判定結果が得られた場合、例えば、運転免許証の返納等の提案を行い得る。
【００４２】
以上、本発明の実施形態について説明したが、本発明の技術的範囲は上記実施形態には限定されない。例えば、上記の実施形態では、判定サーバ２００の処理装置２２０は、認知機能判定部２２１により被検者の認知機能を判定した後、判定結果に応じて、運転資質判定部２２２により運転資質の判定を行った。これに対し、認知機能判定部２２１の判定結果に関わらず運転資質判定部２２２による判定を行っても良いし、認知機能判定部２２１による判定を行わずに運転資質判定部２２２による判定を行っても良い。また、運転資質判定部２２２は、第１閾値を用いた判定のみを行い、被検者の生体データが不適合者生体データに対して第１閾値よりも大きい差異を有する場合は適合と判定するようにしても良い。反対に、運転資質判定部２２２は、第１閾値を用いた判定を行わず、被検者の生体データと不適合者生体データとの差異が第２閾値以下である場合は全て、属性情報を用いた判定を行うようにしても良い。
【００４３】
また、判定サーバ２００は、上述した記憶装置２１０、処理装置２２０および通信装置２３０を全て備え、ネットワーク上に構築された単一のサーバマシンにより実現しても良いし、いわゆるクラウドサーバ等として、各機能を複数のサーバに分散して実現しても良い。その他、本発明の技術思想の範囲から逸脱しない様々な変更や構成の代替は、本発明に含まれる。
【符号の説明】
【００４４】
１００…生体データ取得装置、１１０…ベッドセンサ、１２０…通信装置、２００…判定サーバ、２１０…記憶装置、２１１…生体データ・データベース（ＤＢ）、２１２…属性情報データベース（ＤＢ）、２１３…不適合者生体データ・データベース（ＤＢ）、２２０…処理装置、２２１…認知機能判定部、２２２…運転資質判定部、２３０…通信装置、３００…端末装置、４００…ネットワーク
【図１】
2020201843.tif 000003
【図２】
2020201843.tif 000004
【図３】
2020201843.tif 000005
【図４】
2020201843.tif 000006
【図５】
2020201843.tif 000007